(57)【要約】【課題】タンク本体内の水や、水蒸気の漏出を抑制すること。【解決手段】実施形態に係る洗浄水タンク装置は、タンク本体と、タンク蓋体と、給水装置と、シール部材とを備える。タンク本体は、洗浄水を貯留する。タンク蓋体は、タンク本体側に開口する切欠部が形成され、タンク本体の上方を覆う。給水装置は、切欠部の外側に電気部品が配置され、タンク本体に洗浄水を供給する。シール部材は、切欠部の外側に配置されて電気部品を支持する支持部材とタンク本体との間に配置される。【選択図】図９
2020133315.tif 000002
【特許請求の範囲】
【請求項１】
洗浄水を貯留するタンク本体と、
前記タンク本体側に開口する切欠部が形成され、前記タンク本体の上方を覆うタンク蓋体と、
前記切欠部の外側に電気部品が配置され、前記タンク本体に洗浄水を供給する給水装置と、
前記切欠部の外側に配置されて前記電気部品を支持する支持部材と、前記タンク本体との間に配置されたシール部材と
を備えることを特徴とする洗浄水タンク装置。
【請求項２】
前記タンク本体は、前記シール部材が配置される第１平面部
を備え、
前記支持部材は、前記第１平面部に対して略平行であり、前記シール部材を挟んで前記第１平面部と向かい合う第２平面部
を備え、
前記シール部材は、前記第１平面部と前記第２平面部とによって挟持される
ことを特徴とする請求項１に記載の洗浄水タンク装置。
【請求項３】
前記支持部材は、前記タンク本体に向けて延在し、先端に前記第２平面部が形成される延在部
を備え、
前記延在部は、前記第２平面部によって前記シール部材を押し潰す
ことを特徴とする請求項２に記載の洗浄水タンク装置。
【請求項４】
前記シール部材は、板状である
ことを特徴とする請求項１〜３のいずれか一つに記載の洗浄水タンク装置。
【請求項５】
前記支持部材は、前記切欠部が形成される前記タンク蓋体の壁部と向かい合う板部を備える
ことを特徴とする請求項１〜４のいずれか一つに記載の洗浄水タンク装置。
【請求項６】
前記タンク蓋体は、前記壁部から外側に向けて突出し、前記切欠部の周囲に形成される突出部
を備え、
前記支持部材は、前記突出部と向かい合う対向壁部
を備えることを特徴とする請求項５に記載の洗浄水タンク装置。
【請求項７】
前記タンク本体は、前記電気部品の下方に形成される水受け部
を備え、
前記突出部、および前記対向壁部は、前記突出部と前記対向壁部との間に生じた水を前記水受け部に向けてガイドする
ことを特徴とする請求項６に記載の洗浄水タンク装置。
【発明の詳細な説明】
【技術分野】
【０００１】
開示の実施形態は、洗浄水タンク装置に関する。
【背景技術】
【０００２】
従来、タンク本体に切欠部を設け、切欠部に水抜操作部を配置する洗浄水タンク装置が知られている（例えば、特許文献１参照）。
【先行技術文献】
【特許文献】
【０００３】
【特許文献１】特開２０１５−１９０２６９号公報
【発明の概要】
【発明が解決しようとする課題】
【０００４】
上記する洗浄水タンク装置では、蓋部に設けた壁部によって切欠部の一部を塞いでいる。このような技術を用いることで、給水装置の電磁弁などの電気部品の一部を、切欠部を通してタンク本体の外側に配置することが考えられる。
【０００５】
しかし、このような洗浄水タンク装置では、電気部品の一部と切欠部の下端との間からタンク本体内の水や、水蒸気が漏出するおそれがある。
【０００６】
実施形態の一態様は、タンク本体内の水や、水蒸気の漏出を抑制する洗浄水タンク装置を提供することを目的とする。
【課題を解決するための手段】
【０００７】
実施形態の一態様に係る洗浄水タンク装置は、洗浄水を貯水するタンク本体と、前記タンク本体側に開口する切欠部が形成され、前記タンク本体の上方を覆うタンク蓋体と、前記切欠部の外側に電気部品が配置され、前記タンク本体に洗浄水を供給する給水装置と、前記切欠部の外側に配置されて前記電気部品を支持する支持部材と前記タンク本体との間に配置されたシール部材とを備えることを特徴とする。
【０００８】
洗浄水タンク装置は、貯留部に貯水された洗浄水や、水蒸気が支持部材の下端側から漏出することを抑制することができる。
【０００９】
また、前記タンク本体は、前記シール部材が配置される第１平面部を備え、前記支持部材は、前記第１平面部に対して略平行であり、前記シール部材を挟んで前記第１平面部と向かい合う第２平面部を備え、前記シール部材は、前記第１平面部と前記第２平面部とによって挟持されることを特徴とする。
【００１０】
洗浄水タンク装置は、タンク本体の第１平面部と支持部材の第２平面部とによって、シール部材を均一に挟持することができ、タンク本体、または支持部材と、シール部材との間に隙間が生じることを抑制し、タンク本体から洗浄水や、水蒸気が漏出することを抑制することができる。
【００１１】
また、前記支持部材は、前記タンク本体に向けて延在し、先端に前記第２平面部が形成される延在部を備え、前記延在部は、前記第２平面部によって前記シール部材を押し潰すことを特徴とする。
【００１２】
洗浄水タンク装置は、第２平面部によってシール部材を押し潰すことで、シール部材によるシール性を向上させ、タンク本体から洗浄水や、水蒸気が漏出することを抑制することができる。
【００１３】
また、前記シール部材は、板状であることを特徴とする。
【００１４】
洗浄水タンク装置は、支持部材の位置が、例えば、前後方向にずれた場合であっても、支持部材の第２平面部と、タンク本体の第１平面部とによってシール部材を挟持することができる。そのため、洗浄水タンク装置は、支持部材の位置がずれた場合であってもシール性を保つことができ、タンク本体から洗浄水や、水蒸気が漏出することを抑制することができる。
【００１５】
また、前記支持部材は、前記切欠部が形成される前記タンク蓋体の壁部と向かい合う板部を備えることを特徴とする。
【００１６】
洗浄水タンク装置は、タンク蓋体の壁部と、支持部材の板部とを重ねて配置することで、タンク本体から洗浄水や、水蒸気が漏出することを抑制することができる。
【００１７】
また、前記タンク蓋体は、前記壁部から外側に向けて突出し、前記切欠部の周囲に形成される突出部を備え、前記支持部材は、前記突出部と向かい合う対向壁部を備えることを特徴とする。
【００１８】
洗浄水タンク装置は、タンク本体から洗浄水や、水蒸気が漏出した場合に、漏出した洗浄水などを、タンク蓋体の突出部と、支持部材の対向壁部とによって形成される隙間に保持し、電気部品側に漏出することを抑制することができる。
【００１９】
また、前記タンク本体は、前記電気部品の下方に形成される水受け部を備え、前記突出部、および前記対向壁部は、前記突出部と前記対向壁部との間に生じた水を前記水受け部に向けてガイドすることを特徴とする。
【００２０】
洗浄水タンク装置は、タンク本体から漏出した洗浄水などを水受け部に流すことができ、電気部品側に漏出することを抑制し、漏電などの発生を抑制し、電気部品に悪影響を与えることを抑制することができる。
【発明の効果】
【００２１】
実施形態の一態様によれば、内部流路ユニットの損傷を抑制することができる。
【図面の簡単な説明】
【００２２】
【図１】図１は、水洗大便器の断面図である。
【図２】図２は、洗浄水タンク装置を左上方から見た斜視図である。
【図３】図３は、洗浄水タンク装置を右下方から見た斜視図である。
【図４】図４は、洗浄水タンク装置を前方から見た正面図である。
【図５】図５は、図２においてタンク蓋体を省略した状態の斜視図である。
【図６】図６は、タンク蓋体を省略した洗浄水タンク装置を上方から見た平面図である。
【図７】図７は、電磁弁付近を拡大した正面図である。
【図８】図８は、電磁弁付近における分解斜視図である。
【図９】図９は、図７のIX−IX断面図である。
【発明を実施するための形態】
【００２３】
以下、添付図面を参照して、本願の開示する洗浄水タンク装置の実施形態を詳細に説明する。なお、以下に示す実施形態によりこの発明が限定されるものではない。
【００２４】
まず、実施形態に係る洗浄水タンク装置３が適用される水洗大便器１について図１を参照し説明する。図１は、水洗大便器１の断面図である。図１では、説明のため直交座標系を図示する。なお、直交座標系は、他の図においても図示している。
【００２５】
直交座標系は、Ｘ軸の正方向を「左方」と規定し、Ｘ軸の負方向を「右方」と規定している。また、直交座標系は、Ｙ軸の正方向を「前方」と規定し、Ｙ軸の負方向を「後方」と規定している。また、直交座標系は、Ｚ軸の正方向を「上方」と規定し、Ｚ軸の負方向を「下方」と規定している。このため、以下の説明では、Ｘ軸方向を左右方向、Ｙ軸方向を前後方向、Ｚ軸方向を上下方向という場合がある。
【００２６】
水洗大便器１は、便器本体２と、洗浄水タンク装置３とを備える。なお、水洗大便器１は、図示は省略するが、使用者の局部を洗浄する局部洗浄装置を備える。
【００２７】
便器本体２には、ボウル部４と、導水路５と、排水トラップ管路６とが形成される。
【００２８】
ボウル部４には、洗浄水タンク装置３から導水路５を介して洗浄水が吐水される第１吐水口４ａが形成される。第１吐水口４ａから吐水された洗浄水は、ボウル部４を旋回しながら下降してボウル部４を洗浄する。
【００２９】
ボウル部４の下方には、洗浄水が溜水として貯留される溜水部７が形成される。溜水部７の下方には、排水トラップ管路６の入口６ａが開口する。排水トラップ管路６には、入口６ａから斜め上方に延びる上昇路６ｂと、上昇路６ｂの後端から斜め下方に延びる下降路６ｃとが形成される。
【００３０】
また、溜水部７の上方には、タンク本体１０から導水路５を介して洗浄水が吐水される第２吐水口４ｂが形成される。具体的には、第２吐水口４ｂは、溜水部７の上方であり、かつ第１吐水口４ａよりも下方に形成される。第２吐水口４ｂから吐水された洗浄水は、溜水部７の溜水を上下方向に旋回させる旋回流を生じさせる。
【００３１】
洗浄水タンク装置３は、導水路５の上方に設けられ、便器本体２に供給する洗浄水を貯留する。洗浄水タンク装置３は、局部洗浄装置と共に外装カバー８に覆われており、局部洗浄装置と一体的に構成される。そのため、水洗大便器１は、意匠性を向上させることができる。
【００３２】
洗浄水タンク装置３は、洗浄水タンク装置３の第１底部１１ａに形成され、上方方向に延びる排水口１１ｂから導水路５に洗浄水を供給する。
【００３３】
次に、洗浄水タンク装置３について、図２〜図９を参照し説明する。図２は、洗浄水タンク装置３を左上方から見た斜視図である。図３は、洗浄水タンク装置３を右下方から見た斜視図である。図４は、洗浄水タンク装置３を前方から見た正面図である。図５は、図２においてタンク蓋体２０を省略した状態の斜視図である。図６は、タンク蓋体２０を省略した洗浄水タンク装置３を上方から見た平面図である。図７は、電磁弁付近を拡大した正面図である。図８は、電磁弁付近における分解斜視図である。図９は、図７のIX−IX断面図である。
【００３４】
洗浄水タンク装置３は、タンク本体１０と、タンク蓋体２０と、給水装置３０と、排水弁装置４０とを備える。
【００３５】
タンク本体１０は、便器本体２（図１参照）に取り付けられる。タンク本体１０は、貯留部１１と、取付部１２とを備える。
【００３６】
貯留部１１は、上方が開口する箱状に形成される。貯留部１１は、下端に位置する第１底部１１ａに排水口１１ｂが形成される。貯留部１１には、図３に示すように、下方側の右後方の一角に凹部１４が形成される。凹部１４には、外部から水道水などを供給する給水源（不図示）に接続される給水ホース（不図示）が配置される。凹部１４を形成し、第１底部１１ａよりも上方に設けられた第２底部１４ａには、給水ホースが接続される給水口１４ｂが形成される。
【００３７】
貯留部１１内には、給水装置３０の一部、および排水弁装置４０の一部が配置される。貯留部１１内には、給水ホース、および給水装置３０を介して水道水などが供給される。供給された水道水などは、洗浄水として貯留部１１に貯留される。貯留された洗浄水は、排水弁装置４０によって便器本体２の導水路５（図１参照）に供給される。
【００３８】
取付部１２は、貯留部１１の上端に取り付けられる。取付部１２には、貯留部１１に取り付けられた状態で貯留部１１内を、例えば作業者などが確認できるように開口部１２ａ（図５、および図６参照）が形成される。すなわち、タンク本体１０は、上方が開口するように形成される。
【００３９】
取付部１２には、フロートスイッチ５０と、排水弁装置４０の一部、具体的には、排水弁装置４０の回動装置４２とが取り付けられる。取付部１２は、前側の中央付近にフロートスイッチ５０が取り付けられ、フロートスイッチ５０よりも左側に排水弁装置４０の回動装置４２が取り付けられる。フロートスイッチ５０は、タンク本体１０内の洗浄水の満水位を検知する。なお、フロートスイッチ５０における水位の検知結果は、コントローラ（不図示）に送信される。
【００４０】
取付部１２には、フロートスイッチ５０よりも右側に水受け部１５が形成される。また、取付部１２には、水受け部１５よりも後方に給水装置３０の一部、具体的には給水装置３０の支持部３４が配置される。
【００４１】
水受け部１５は、給水装置３０の一部である電磁弁３２の下方に形成される。水受け部１５は、第１底部１５ａと、第１底部１５ａから上方に向けて突出する側壁部１５ｂ〜１５ｅとによって形成される。水受け部１５には、タンク蓋体２０と給水装置３０の支持部３４との間から漏れた水が流入する。
【００４２】
第１底部１５ａには、水受け部１５に流入した水を便器本体２に排出する排水部１５ｆが形成される。排水部１５ｆには、貫通孔１５ｇ（図６参照）が形成される。排水部１５ｆには、便器本体２に水を流すための排水ホース（不図示）が接続される。
【００４３】
また、取付部１２には、後方側の側壁部１５ｃの後方に、凹部１５ｈ（図９参照）が形成される。凹部１５ｈは、左右方向の長さが前後方向の長さよりも長くなるように形成される。凹部１５ｈの第２底部１５ｉ（第１平面部）は、平面状に形成される。凹部１５ｈには、シール部材１６が配置される。シール部材１６は、板状に形成される。シール部材１６は、凹部１５ｈの第２底部１５ｉと面接触する。
【００４４】
また、取付部１２には、タンク蓋体２０の爪部２１が係合する係合部１７が複数形成される。
【００４５】
タンク蓋体２０は、取付部１２の開口部１２ａを覆うように設けられる。すなわち、タンク蓋体２０は、タンク本体１０の上方を覆うように設けられる。
【００４６】
タンク蓋体２０は、複数の爪部２１を取付部１２の係合部１７に係合させることで、タンク本体１０に取り付けられる。タンク蓋体２０には、右前方に前壁部２２（壁部）が形成される。前壁部２２は、上下方向に沿って形成される。前壁部２２には、切欠部２２ａ（図８、および図９参照）が形成される。切欠部２２ａは、矩形状であり、タンク本体１０側に開口するように形成される。
【００４７】
前壁部２２には、前方に向けて突出するリブ部２３（突出部、図７、および図８参照）が形成される。リブ部２３は、切欠部２２ａの外側に形成され、切欠部２２ａに沿って形成される。リブ部２３は、切欠部２２ａの上方に左右方向に沿って形成される第１リブ部２３ａと、第１リブ部２３ａの右方の端部から下方に向けて形成される第２リブ部２３ｂと、第１リブ部２３ａの左方の端部から下方に向けて形成される第３リブ部２３ｃとによって構成される。
【００４８】
給水装置３０は、貯留部１１内の洗浄水の水位に応じて貯留部１１に水道水などを供給し、貯留部１１内の洗浄水の水位を調整する。給水装置３０は、給水部３１（図５、および図６参照）と、電磁弁３２（電気部品）とを備える。
【００４９】
給水部３１には、水道水などが流れる給水流路（不図示）が形成される。給水部３１は、給水ホースを介して供給される水道水などをタンク本体１０の貯留部１１に供給する。給水流路には、弁体（不図示）が設けられる。弁体は、電磁弁３２によって開閉し、貯留部１１への水道水などの供給を制御する。具体的には、給水装置３０は、弁体が開くことで、貯留部１１に水道水などを供給する。また、給水装置３０は、弁体が閉じることで、貯留部１１への水道水などの供給を停止する。
【００５０】
給水部３１は、本体部３３と、支持部３４（支持部材）とを備える。本体部３３は、タンク本体１０とタンク蓋体２０とによって形成される空間に配置される。
【００５１】
本体部３３の一方の端部は、タンク本体１０に形成された給水口１４ｂに接続する。本体部３３は、給水口１４ｂとの接続箇所から上方に向けて延び、上方においてタンク本体１０の中央側に向けて屈曲または湾曲する。本体部３３の他方の端部には、貯留部１１内に水道水などを吐水する吐水部３３ａ（図５、および図６参照）が設けられる。
【００５２】
支持部３４は、タンク蓋体２０の切欠部２２ａの外側、具体的には、切欠部２２ａの前方に配置され、切欠部２２ａを貫通する接続部３５を介して本体部３３と接続する。支持部３４には、電磁弁３２が取り付けられる。支持部３４は、矩形状の板部３６と、板部３６の周縁に形成されるリブ部３７（対向壁部）とを備える。なお、支持部３４は、本体部３３とは別体として設けられてもよい。また、「支持部３４が切欠部２２ａの外側に配置される」とは、支持部３４の一部が切欠部２２ａの内側に配置されることを含む。
【００５３】
板部３６は、切欠部２２ａが形成されるタンク蓋体２０の前壁部２２と向かい合う。板部３６と前壁部２２との間には、隙間が形成される。すなわち、支持部３４を前方から見た場合に、板部３６と前壁部２２とは一部が重なり、板部３６と前壁部２２との間には、前後方向に隙間が形成される。なお、板部３６と前壁部２２との間に隙間を形成せずに、板部３６と前壁部２２とが接触するように配置されてもよい。
【００５４】
リブ部３７は、図７、および図８に示すように、板部３６の下方の周縁から下方に向けて延在する延在部３７ａと、板部３６の上方の周縁から前方に向けて形成される第１リブ部３７ｂと、板部３６の右方の周縁から前方に向けて形成される第２リブ部３７ｃと、板部３６の左方の周縁から前方に向けて形成される第３リブ部３７ｄとを備える。なお、第１リブ部３７ｂ〜第３リブ部３７ｄは、後方に向けて、または前方、および後方に向けて形成されてもよい。
【００５５】
延在部３７ａの下方の先端には、図９に示すように、平面部３７ｅ（第２平面部）が形成される。平面部３７ｅは、取付部１２の凹部１５ｈの第２底部１５ｉと略平行となるように形成される。延在部３７ａは、平面部３７ｅがシール部材１６に接触するように形成される。具体的には、延在部３７ａは、平面部３７ｅと、凹部１５ｈの第２底部１５ｉとによってシール部材１６を挟持し、平面部３７ｅによってシール部材１６を押し潰すように形成される。
【００５６】
なお、「略平行」とは、第２底部１５ｉと平面部３７ｅとによってシール部材１６を押圧できる程度に平行であればよい。
【００５７】
また、図９に示すように、延在部３７ａは組み付け状態において、シール部材１６の上面よりも下方に延在するように構成されているため、シール部材１６を良好に押し潰すことができる。さらに、延在部３７ａはシール部材１６を収容する凹部１５ｈの上端、例えば、凹部１５ｈを形成する側壁部１５ｃの上端よりも下方に延在するように構成されているため、確実にシール部材１６を押し潰すことが可能となる。
【００５８】
第１リブ部３７ｂは、図７に示すように、タンク蓋体２０の第１リブ部２３ａと向かい合うように形成される。第１リブ部３７ｂと、タンク蓋体２０の第１リブ部２３ａとの間には、隙間が形成される。
【００５９】
第２リブ部３７ｃは、図７に示すように、タンク蓋体２０の第２リブ部２３ｂと向かい合うように形成される。第２リブ部３７ｃと、タンク本体１０の第２リブ部２３ｂとの間には、隙間が形成される。
【００６０】
第３リブ部３７ｄは、図７に示すように、タンク蓋体２０の第３リブ部２３ｃと向かい合うように形成される。第３リブ部３７ｄと、タンク本体１０の第３リブ部２３ｃとの間には、隙間が形成される。
【００６１】
第１リブ部３７ｂ、第２リブ部３７ｃ、第３リブ部３７ｄはそれぞれが連続するように切欠部２２ａの周囲を覆うように構成されている。さらに、第１リブ部３７ｂ、第２リブ部３７ｃ、第３リブ部３７ｄは、第１リブ部２３ａ、第２リブ部２３ｂ及び第３リブ部２３ｃに囲まれ、且つ切欠部２２ａの周縁を構成する前壁部２２は、タンク本体１０の開口上端よりも下方に延在するように構成されている。これにより、各リブ部２３ａ〜２３ｃと各リブ部３７ｂ〜３７ｄとの隙間の水が、タンク本体１０の開口上端よりも下方に延在する前壁部２２によって下方に誘導され、タンク本体１０に流下する。なお、タンク蓋体２０の下端をタンク本体１０の開口上端よりも下方に延在するように全周を構成することも好ましい。
【００６２】
電磁弁３２は、タンク蓋体２０の外側に配置される。なお、電磁弁３２の一部は、タンク蓋体２０の内側に配置されてもよい。すなわち、「電磁弁３２がタンク蓋体２０の外側に配置される」とは、電磁弁３２の一部がタンク蓋体２０の内側に配置されることを含む。
【００６３】
電磁弁３２は、支持部３４に取り付けられ、支持部３４に支持される。電磁弁３２は、コネクタ３２ａを介して外部から電流が供給される。電磁弁３２は、フロートスイッチ５０によって検知される貯留部１１の水位に基づいて供給される電流が制御され、弁体を開閉させる。具体的には、電磁弁３２は、貯留部１１の水位が所定の満水水位よりも低い場合に通電状態となり、弁体を開く。また、電磁弁３２は、貯留部１１の水位が所定の満水水位以上の場合に非通電状態となり、弁体を閉じる。電磁弁３２へ供給される電流は、コントローラ（不図示）によって制御される。
【００６４】
なお、給水装置３０は、詳しい説明は省略するが、タンク本体１０の水位に応じて上下動するフロート３８を有する機械式開閉弁体装置３９（図６参照）を備えており、フロート３８の上下動に応じて弁体を開閉可能である。これにより、給水装置３０は、停電時や、電磁弁３２が故障した場合であっても、タンク本体１０に水道水などを供給し、水洗大便器１を利用可能とする。
【００６５】
排水弁装置４０は、図５、および図６に示すように、オーバーフロー管４１と、オーバーフロー管４１の下端部に固着された排水弁（不図示）と、オーバーフロー管４１を上下動させることで排水弁を開閉操作する回動装置４２とを備える。
【００６６】
回動装置４２は、タンク蓋体２０の外側に配置される。回動装置４２は、取付部１２に取り付けられる。回動装置４２は、ＤＣモータなどの駆動部（不図示）によって回動軸４２ａを回動させて、回動軸４２ａの先端に接続された玉鎖４３を引き上げることで、排水弁を開き、貯留部１１に貯水された洗浄水を導水路５（図１参照）に供給する。
【００６７】
なお、回動装置４２は、使用者が操作レバー４４を回動することで、回動軸４２ａを回動可能となっており、停電時などに手動で動作させることができる。
【００６８】
次に、実施形態に係る洗浄水タンク装置３の作用、および効果について説明する。
【００６９】
洗浄水タンク装置３は、タンク蓋体２０に切欠部２２ａを設け、切欠部２２ａの外側（切欠部２２ａの前方）、すなわちタンク蓋体２０の外側に給水装置３０の電気部品である電磁弁３２を配置する。また、洗浄水タンク装置３は、切欠部２２ａの外側に配置されて電磁弁３２を支持する支持部３４と、タンク本体１０との間にシール部材１６を配置する。
【００７０】
これにより、洗浄水タンク装置３は、支持部３４の下端をシール部材１６によってシールする。そのため、洗浄水タンク装置３は、支持部３４の下端側から、貯留部１１に貯水された洗浄水や、水蒸気が漏出することを抑制することができる。
【００７１】
比較例に係る洗浄水タンク装置では、切欠部をタンク本体（取付部）にも形成し、切欠部をタンク蓋体とタンク本体とによって構成することも考えられる。
【００７２】
しかし、この場合、切欠部を構成するタンク蓋体とタンク本体との間に隙間が生じ、生じた隙間によって洗浄水や、水蒸気が貯留部から漏出するおそれがある。
【００７３】
これに対し、実施形態に係る洗浄水タンク装置３は、切欠部２２ａをタンク本体１０にのみ設ける。そのため、洗浄水タンク装置３は、タンク蓋体２０とタンク本体１０との間に隙間が生じることを抑制し、貯留部１１から洗浄水や、水蒸気が漏出することを抑制することができる。
【００７４】
また、洗浄水タンク装置３は、タンク蓋体２０に下方が開口する切欠部２２ａを設けることで、支持部３４を配置した状態でタンク本体１０を上方から容易に取り付けることができる。これにより、洗浄水タンク装置３は、組み立て性を向上することができる。
【００７５】
また、洗浄水タンク装置３は、シール部材１６を配置する凹部１５ｈを取付部１２に設け、平面状に形成された第２底部１５ｉを凹部１５ｈに設ける。また、洗浄水タンク装置３は、凹部１５ｈの第２底部１５ｉに対して略平行な平面部３７ｅを有する延在部３７ａを支持部３４に設ける。そして、洗浄水タンク装置３は、凹部１５ｈの第２底部１５ｉと、平面部３７ｅとによってシール部材１６を挟持する。
【００７６】
これにより、洗浄水タンク装置３は、支持部３４と取付部１２とによって、シール部材１６を均一に挟持することができ、支持部３４、または取付部１２と、シール部材１６との間に隙間が生じることを抑制し、貯留部１１から洗浄水や、水蒸気が漏出することを抑制することができる。
【００７７】
また、洗浄水タンク装置３は、支持部３４の延在部３７ａの平面部３７ｅによってシール部材１６を押し潰す。これにより、洗浄水タンク装置３は、シール部材１６によるシール性を向上させ、貯留部１１から洗浄水や、水蒸気が漏出することを抑制することができる。
【００７８】
また、洗浄水タンク装置３は、板状のシール部材１６を取付部１２の凹部１５ｈに配置する。これにより、洗浄水タンク装置３は、支持部３４の位置が前後方向にずれた場合であっても、支持部３４の延在部３７ａの平面部３７ｅと、取付部１２の凹部１５ｈの第２底部１５ｉとによってシール部材１６を挟持することができる。そのため、洗浄水タンク装置３は、支持部３４の位置が前後方向にずれた場合であってもシール性を保つことができ、貯留部１１から洗浄水や、水蒸気が漏出することを抑制することができる。
【００７９】
また、洗浄水タンク装置３は、切欠部２２ａが形成されるタンク蓋体２０の前壁部２２と向かい合う支持部３４の板部３６をタンク蓋体２０の外側に配置する。すなわち、洗浄水タンク装置３は、タンク蓋体２０の前壁部２２と、支持部３４の板部３６とを前後方向に重ねて配置する。
【００８０】
これにより、洗浄水タンク装置３は、貯留部１１から洗浄水や、水蒸気が漏出することを抑制することができる。
【００８１】
また、洗浄水タンク装置３は、タンク蓋体２０の前壁部２２から外側に向けて突出し、切欠部２２ａの周囲に形成されるリブ部２３をタンク蓋体２０に設ける。また、洗浄水タンク装置３は、タンク蓋体２０のリブ部２３に向かい合うリブ部３７を支持部３４に設ける。
【００８２】
これにより、洗浄水タンク装置３は、タンク蓋体２０と支持部３４との間に形成され、タンク本体１０内から外部へつながる経路を屈曲させることができる。例えば、図９に示すように、タンク蓋体２０の前壁部２２と支持部３４の板部３６との間に形成される隙間と、タンク蓋体２０の第１リブ部２３ａと支持部３４の第１リブ部３７ｂとの間に形成される隙間とによって形成される経路を屈曲させることができる。そのため、洗浄水タンク装置３は、貯留部１１から洗浄水や、水蒸気が漏出することを抑制することができる。
【００８３】
また、洗浄水タンク装置３は、貯留部１１から洗浄水や、水蒸気が漏出した場合に、漏出した洗浄水などを、タンク蓋体２０のリブ部２３と支持部３４のリブ部３７とによって形成される隙間に表面張力によって保持し、電磁弁３２側に漏出することを抑制することができる。
【００８４】
また、洗浄水タンク装置３は、漏出した洗浄水などを、タンク蓋体２０のリブ部２３と支持部３４のリブ部３７との間に形成される隙間を介して電磁弁３２よりも下方に流すことができ、例えば、洗浄水が前方、すなわち電磁弁３２側に流れることを抑制することができる。これにより、洗浄水タンク装置３は、電磁弁３２に洗浄水がかかることを抑制し、漏電などの発生を抑制し、電磁弁３２に悪影響を与えることを抑制することができる。
【００８５】
また、洗浄水タンク装置３は、前方から見た場合に、矩形状となるように、タンク蓋体２０のリブ部２３と、支持部３４のリブ部３７とを形成する。
【００８６】
これにより、洗浄水タンク装置３は、例えば、貯留部１１から洗浄水が漏出した場合に、タンク蓋体２０のリブ部２３と支持部３４のリブ部３７との間に形成される隙間によって、漏出した洗浄水を左右方向に均一に流すことができ、洗浄水が電磁弁３２側に流れることを抑制することができる。そのため、洗浄水タンク装置３は、電磁弁３２に洗浄水がかかることを抑制し、漏電などの発生を抑制し、電磁弁３２に悪影響を与えることを抑制することができる。
【００８７】
また、洗浄水タンク装置３は、電磁弁３２よりも下方の取付部１２に水受け部１５を設け、漏出した洗浄水などを、タンク蓋体２０のリブ部２３と支持部３４のリブ部３７との間に形成される隙間を介して水受け部１５にガイドする。
【００８８】
これにより、洗浄水タンク装置３は、貯留部１１から漏出した洗浄水を水受け部１５に流すことができ電磁弁３２に洗浄水がかかることを抑制し、漏電などの発生を抑制し、電磁弁３２に悪影響を与えることを抑制することができる。
【００８９】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【００９０】
１      水洗大便器
２      便器本体
３      洗浄水タンク装置
１０    タンク本体
１１    貯留部
１２    取付部
１５    水受け部
１５ｈ  凹部
１５ｉ  第２底部（第１平面部）
１６    シール部材
２０    タンク蓋体
２２    前壁部（壁部）
２２ａ  切欠部
２３    リブ部（突出部）
３０    給水装置
３１    給水部
３２    電磁弁（電気部品）
３２ａ  コネクタ
３３    本体部
３４    支持部（支持部材）
３６    板部
３７    リブ部（対向壁部）
３７ａ  延在部
３７ｅ  平面部（第２平面部）
【図１】
2020133315.tif 000003
【図２】
2020133315.tif 000004
【図３】
2020133315.tif 000005
【図４】
2020133315.tif 000006
【図５】
2020133315.tif 000007
【図６】
2020133315.tif 000008
【図７】
2020133315.tif 000009
【図８】
2020133315.tif 000010
【図９】
2020133315.tif 000011